(57)【要約】【課題】  スプリング部材からなる塗布部に適量となる塗布液を付着せしめて睫毛、毛髪などに安定した塗布を行うことができる塗布容器を提供する。【解決手段】  塗布液を収容する容器本体１０と、該容器本体１０の開口部１１に着脱自在となる軸体２２を有するキャップ２０と、該キャップ２０の軸体２２に設けられたスプリング部材２５からなる塗布部２６と、該塗布部２６を容器本体１０から引き出す際に塗布部に付着している塗布液量を調節する筒状のしごき体３０とを有する塗布容器Ａであって、上記しごき体３０には、その内部にしごき部３３を有すると共に、その末端部にスプリング部材からなる塗布部の外径より大きく外形方向に拡径した拡径部３４を有することを特徴とする塗布容器。【選択図】  図１
2006311949.tif 000002
【特許請求の範囲】
【請求項１】
塗布液を収容する容器本体と、該容器本体の開口部に着脱自在となる軸体を有するキャップと、該キャップの軸体に設けられたスプリング部材からなる塗布部と、該塗布部を容器本体から引き出す際に塗布部に付着している塗布液量を調節する筒状のしごき体とを有する塗布容器であって、上記しごき体には、その内部にしごき部を有すると共に、その末端部にはスプリング部材からなる塗布部の外径より大きく外形方向に拡径した拡径部を有することを特徴とする塗布容器。
【請求項２】
しごき部の内側角部は鋭角となっている請求項１記載の塗布容器。
【請求項３】
しごき部の内側角部は角取りしてアール状としてなる請求項１記載の塗布容器。
【請求項４】
塗布部のスプリング部材が樹脂製のスプリング部材から構成される請求項１〜３の何れか一つに記載の塗布容器。
【発明の詳細な説明】
【技術分野】
【０００１】
本発明は、マスカラ等の液状化粧料や染毛剤等を収容した塗布容器に関し、更に詳しくは、スプリング部材からなる塗布部に適量となる塗布液を付着せしめて睫毛、毛髪などに安定した塗布を行うことができる塗布容器に関する。
【背景技術】
【０００２】
従来より、マスカラなどの塗布容器としては、数多くの構造のものが知られている。このマスカラ容器は、容器本体にマスカラ液が収容されており、キャップに備えたブラシ部材などの塗布部をマスカラ液に含浸させて、使用する際に塗布部に付着するマスカラ液を適量にしごいて塗布するものである。
【０００３】
このマスカラ塗布容器において、マスカラ塗布部としてブラシ部材の他、安定な塗布を発揮せしめるために、金属線をスプリング状に形成しこれをマスカラ塗布部として利用することは既に知られている。例えば、図７に示すように、キャップ（柄）１ａに固着した塗布棒１ｂの先端にステンレス等の耐腐食材からなる線材の一端を止着し、スプリング状に螺設された塗布部１ｃの端部を止着したことを特徴とするマスカラ塗布具１（例えば、特許文献１及び２参照）や、図８（ａ）及び（ｂ）に示すように、キャップ２ａに植設した塗布棒２ｂの先端の周囲に、細線の半径よりも浅い螺状溝２ｃを形成し、その螺状溝２ｃに金属の細線２ｄを巻着して塗布部２ｅを構成したマスカラ塗布具２（例えば、特許文献３参照）が知られている。
【０００４】
また、図９（ａ）及び（ｂ）に示すように、キャップ３ａの軸部材３ｂ先端部にスプリングを巻回装着してなる塗布部３ｃとスプリング止め部３ｄを備えたマスカラ塗布具３、このマスカラ塗布具３を使用する際には、払拭部材４ａ付きのマスカラ収納容器４に挿入して塗布部３ｃにマスカラを付着させ、次に、容器４から軸部材３ｂを引き抜く際に払拭部材４ａにより、スプリングが圧縮され塗布部３ｃに付着した余分量のマスカラを絞り落とすことにより、塗布部３ｃに適量となるマスカラが付着できるマスカラ塗布容器（例えば、特許文献４参照）や、塗布先への睫毛の進入状態を内外二重のコイルスプリングにより二段に切り替え、塗布量を二様に変えることができるマスカラ用塗布棒、並びに、この塗布棒に付着する余分なマスカラを容器開口部に取り付けたスカート状の塗布液制限筒により掻き落すことができる塗布容器（例えば、特許文献５参照）が知られている。
更に、ブラシ部材からなる塗布棒に付着する余分なマスカラを容器開口部に取り付けた水平のしごき周片部を備えたしごき部材により掻き落すことができるマスカラ容器（例えば、特許文献６参照）や、塗布軸の着脱時にしごき体がめくれて変形するのを抑制防止し、これを通じて塗布軸等の損傷を抑制防止し、塗布軸の度重なる着脱にもしごき体が耐え得る液体容器を提供するために、しごき体を可撓性の材料により略円筒形に成形し、上端部から下部に向かうにしたがい徐々に縮径せしめると共に、下部から下端部に向かうにしたがい徐々に拡径に形成し、かつ、しごき体の周壁に複数本のスリットを上下方向に切り欠き形成してなるマスカラなどの内容液を収容する液体容器（例えば、特許文献７参照）が知られている。
【０００５】
しかしながら、図９（ｂ）に示す塗布容器４にあっては、キャップ３ａを外して塗布部３ｃを出す場合、払拭部材４ａにより塗布部３ｃに付いたマスカラ液等の液状体をある程度絞り落とすことによりコントロールすることができるが、この構造の払拭部材４ａではスプリング部材の隙間に払拭部材４ａの開口部（エッジ部）が引っかかり、通過する際にスプリング部材を圧縮しスプリング部材の線材間の隙間に先端が入り込み、力を入れるほど払拭部材４ａがスプリング部材に食い込み大きな力が発生し、当該スプリング部材が破断するか、抜き取れない状態になりやすいという課題がある。また、この課題は、払拭部材４ａの形状、即ち開口部の向きにより、スプリング部材の隙間に入り易いものであるが、塗布部３ｃを引き抜くときか、挿入するときかの違いが発生する。
【０００６】
また、上記特許文献５に記載のスカート状の塗布液制限筒がスプリング部材に向かってほぼ直角に設けられている塗布容器の場合や、上記特許文献６に記載の水平のしごき周片部を有するしごき部材を備えた塗布容器において、塗布部をブラシ部材に代えてスプリング部材を使用した場合、両者とも、スプリング部材からなる塗布部を引き抜く場合、または挿入する場合に、上記と同様にスプリング部材の隙間に塗布液制限筒のエッジ部又はしごき周片部の先端部（エッジ部）が引っかかり、スプリング部材が破断するか、抜き取れない状態になりやすいという課題が生じる。
更に、上記特許文献４の払拭部材４ａや、上記特許文献５に記載のスカート状の塗布液制限筒、及び上記特許文献６に記載の水平のしごき周片部の内径をスプリング部材の外径に較べ大きく設定しておけば、上記の課題が発生する頻度は少なくなるが、塗布部をいつも必ずしごき部の中心にあわせて、抜き差しすることはできず、少しズレただけでもしごき部の末端がスプリングに食い込むトラブルが生じるものである。
更にまた、上記特許文献７に記載のしごき体では、スリットにより可撓性を出しており、この形状のしごき体をスプリングタイプの塗布部に使用した場合には、スリット部分はしごく事ができないので、マスカラ等の内容液がスプリングの塗布部や軸体に筋状に残り使い勝手が悪いという課題があり、スプリングタイプの塗布容器には不適であるのが現状である。
【特許文献１】実開昭５７−８１７１２号公報（請求の範囲、考案の詳細な説明等）
【特許文献２】実開昭５７−８７６０９号公報（請求の範囲、考案の詳細な説明等）
【特許文献３】実開昭５７−１５８４１０号公報（請求の範囲、考案の詳細な説明等）
【特許文献４】実開昭５６−１７００４号公報（請求の範囲、考案の詳細な説明等）
【特許文献５】実開昭５８−１２５５１５号公報（請求の範囲、考案の詳細な説明等）
【特許文献６】特開２００５−４６２４３号公報（特許請求の範囲、図５等）
【特許文献７】特開２００３−３１０３４６号公報（特許請求の範囲、図１〜図４）
【発明の開示】
【発明が解決しようとする課題】
【０００７】
本発明は、上記従来技術の課題及び現状等に鑑み、これを解消しようとするものであり、スプリング部材からなる塗布部に適量となる塗布液を付着せしめて睫毛、毛髪などに安定した塗布を行うことができる塗布容器を提供することを目的とする。
【課題を解決するための手段】
【０００８】
本発明者らは、上記従来の課題等を解決するために、鋭意検討した結果、塗布液を収容する容器本体と、該容器本体の開口部に着脱自在となる軸体を有するキャップと、該キャップの軸体に設けられたスプリング部材からなる塗布部と、該塗布部を容器本体から引き出す際に塗布部に付着している塗布液量を調節する筒状のしごき体とを有する塗布容器において、上記しごき体を特定構造等とすることにより、上記目的の塗布容器が得られることを見い出し、本発明を完成するに至ったのである。
【０００９】
すなわち、本発明は、次の（１）〜（４）に存する。
（１）  塗布液を収容する容器本体と、該容器本体の開口部に着脱自在となる軸体を有するキャップと、該キャップの軸体に設けられたスプリング部材からなる塗布部と、該塗布部を容器本体から引き出す際に塗布部に付着している塗布液量を調節する筒状のしごき体とを有する塗布容器であって、上記しごき体には、その内部にしごき部を有すると共に、その末端部にスプリング部材からなる塗布部の外径より大きく外形方向に拡径した拡径部を有することを特徴とする塗布容器。
（２）  しごき部の内側角部は鋭角となっている上記（１）記載の塗布容器。
（３）  しごき部の内側角部は角取りしてアール状としてなる上記（１）記載の塗布容器。
（４）  塗布部のスプリング部材が樹脂製のスプリング部材から構成される上記（１）〜（３）の何れか一つに記載の塗布容器。
【発明の効果】
【００１０】
本発明によれば、スプリング部材からなる塗布部に適量となる塗布液を付着せしめて睫毛、毛髪などに安定した塗布を行うことができる塗布容器が提供される。
【発明を実施するための最良の形態】
【００１１】
以下に、本発明の実施形態を図面を参照しながら詳しく説明する。
図１〜図３は、本発明の実施形態の一例を示す塗布容器であり、図１はキャップを閉じた状態を示す塗布容器の縦断面図、図２はキャップを取り外した状態を示す縦断面図、図３（ａ）及び（ｂ）はしごき体の部分縦断面図及び左側面図、図３（ｃ）はスプリング部材からなる塗布部の一例を示す部分拡大側面図である。
【００１２】
本実施形態の塗布容器Ａは、図１〜図３に示すように、塗布液を収容する容器本体１０と、該容器本体１０の開口部に着脱自在となるキャップ２０と、該キャップ２０の軸体２１に設けられたスプリング部材２５からなる塗布部２６と、該塗布部２６を容器本体１０から引き出す際に塗布部２６に付着している塗布液量を調節する筒状のしごき体３０とを有している。
【００１３】
容器本体１０は、有底筒状体となっており、上端首部１１に開口部１２が形成されている。首部１１の外周面にはキャップ２０を着脱自在に取り付けるための嵌合部１３が形成されている。この容器本体１０内には、マスカラ液、染毛剤液等の流動性を有する塗布液が収容される構成となっている。容器本体１０は、不透明体又は視認性を有するもの（透明体、半透明体）とすることができ、その材料としては、特に限定されず、例えば、アルミニウム製などの金属製、ＰＰ、ＰＥ、ＰＥＴ、ＰＢＴ、ＰＯＭ等の合成樹脂製などが挙げられる。
【００１４】
キャップ２０は、図２に示すように、把持部となる筒状の本体部２１と、本体部２１に取り付けられた棒状の軸体２２とを有している。このキャップ２０の材料としては、特に限定されず、例えば、ＰＰ、ＰＥ、ＰＥＴ、ＰＢＴ、ＰＯＭ等の合成樹脂製などが挙げられる。
このキャップ２０の軸体２２の前方には、図３（ｃ）に示すように、その周面に塗布部となるスプリング部材２５を保持するための凹部２３が形成されると共に、先端部にはスプリング部材２５を抜け止めする抜け止め部２４が形成されている。この凹部２３にステンレス鋼線等の耐腐食材からなる所定ピッチとなるコイル状のスプリング部材２５を取り付けることにより塗布部２３が構成されることとなる。
【００１５】
しごき体３０は、弾性材料又は可撓性材料により略筒状に成形され、図３（ａ）及び（ｂ）に示すように、上端部にフランジ部３１を有すると共に、該フランジ部の下方外周面は容器本体１０の首部１１の内周面と嵌合する嵌合面部３２となっており、この嵌合面部３２から下部に向かって徐々に縮径されると共に、下部から末端部（最下端部）に向かって徐々に拡径される形状となっている。このしごき体３０において、縮径された狭小部がしごき部３３となっている。また、末端部の拡径された部分（直径Ｒ１）は、スプリング部材からなる塗布部の外径（ｒ）より大きく外形方向に拡径した（Ｒ１＞ｒとなる）拡径部３４となっている。好ましくは、Ｒ１は、ｒ＋（０．３ｒ〜０．６ｒ）＜Ｒ１（＜容器本体の内径）とすることが望ましく、例えば、ｒが５（ｍｍ）の場合、Ｒ１は６．５（ｍｍ）を超える範囲とすることが望ましい。
また、上記しごき部３３の内径をＲ２とした場合に、更に、トラブルなく、スムーズに抜き差しでき、しかも、スプリング部材からなる塗布部に適量となる塗布液を更に付着せしめる点から、好ましくは、ｒ−０．０５ｒ≦Ｒ２≦ｒ＋０．０５ｒとすることが望ましく、例えば、ｒが５（ｍｍ）の場合、Ｒ２は４．７５〜５．２５（ｍｍ）の範囲とすることが望ましい。更に、末端部からしごき部３３までの長さＴは、適宜設定することができ、好ましくは、ｒが５（ｍｍ）の場合、３〜７（ｍｍ）とすることが望ましい。
更に、塗布部となるスプリング部材２５に多くの内溶液を均等に付けたいときには、Ｒ２をｒより大きく設定する場合もあり、軸体２２の外径に対してＲ２は同じ又は小さく（軸体２２の外径≧Ｒ２）設定し、常に軸体２２から内容液を掻き落とす仕様にすることが好ましく、更に好ましくは、軸体２２の外径≧０．９５×Ｒ２とすることが望ましい。
【００１６】
このしごき体３０の材料としては、ＳＢＲ、ＢＲ、ＣＲ、ＮＢＲ、ＩＩＲ、ＥＰＭ、ＥＰＤＭ、ＦＫＭ、シリコーンゴムなどの各種ゴム、ＡＢＳ、ＰＰ、ＰＥ、ＰＳなどの合成樹脂、並びに、これらのエラストマー材料などが挙げられ、好ましくは、耐内容液性やコストの点から、ＮＢＲ又はオレフィン系エラストマーから構成されるものが望ましい。
このしごき体３０は、図１及び図２に示すように、容器本体１０の首部１２内に嵌合せしめることにより容器本体に取り付けられる構造となっている。
【００１７】
このように構成される塗布容器Ａでは、マスカラ等を塗布する際には、キャップ２０を回して嵌合を解き上方に引き上げ、軸体２２を容器本体１０から抜き取り、適量にマスカラなどが付着した塗布部２６を使用すれば、睫毛等にマスカラを塗布することができるものとなる。
本発明では、しごき体３０の末端部の形状が、図１及び図３に示すように、スプリング部材２５からなる塗布部２６の外径（ｒ）より大きく外形方向に拡径した（Ｒ１＞ｒとなる）拡径部３４とすることにより、塗布部２３をしごき体３０から引き抜き際等であってもしごき体３０の末端スプリング部材２５の隙間に食い込むことがなく、抜き差し時にスプリング部材２５の破断や、抜き取れない状態になることがなく、しかも、抜き差し時にしごき部３３にスプリング部材２５の外形（塗布部２６）が接触し、スプリング部材２５に力がかかりスプリング部材２５を圧縮し、これによりスプリング部材２５に付着している余分な塗布液をしごく（掻き落す）ことができると共に、軸体２２に付着した塗布液を掻き落すことにより、塗布部２６に適量に付着した塗布液を容器本体１０からスムーズに引き上げることができるものとなる。これにより、スプリング部材からなる塗布部２６に適量となる塗布液を付着せしめて睫毛などに安定した塗布を行うことができる塗布容器が得られるものとなる。
【００１８】
図４（ａ）及び（ｂ）は、しごき体３０の好ましい構造を示すものである。
スプリング部材２５をスムーズに圧縮し、スプリング部材２５に付着している余分な塗布液を良好にしごく点から、しごき部３３の内側角部（内周面部３３ａ）を図４（ａ）に示すように、鋭角形状とすることが好ましく、また、図４（ｂ）に示すように、しごき部３３の内側角部（内周面部３３ｂ）を角取りしてアール状とすることが好ましい。
更に好ましくは、図４（ａ）又は（ｂ）の形状とすると共に、該しごき部３３の内径Ｒ２をｒ−０．０５ｒ≦Ｒ２≦ｒ＋０．０５ｒとすることにより、更にスムーズにスプリング部材を圧縮せしめてスプリング部材２５に付着している余分な塗布液を更に良好にしごくと共に、軸体２２の抜き差しも良好に行うことができるものとなる。
【００１９】
図５は、容器本体１０に取り付けるしごき体３０の他の取り付け構造の形態を示すものである。
この取り付け構造は、しごき体３０の嵌合面３２を凹部形状３２ａとし、この凹部形状３２ａに首部２１の内周面部を嵌合せしめたものであり、図１の実施形態の取り付け構造よりしごき体３０が強固に取り付けられる点で相違するのみであり、しごき体３０の他の構造は上記図１〜図４の実施形態と同様に機能するものである。
【００２０】
図６（ａ）及び（ｂ）〔（ｃ）は（ｂ）の要部拡大図〕は、塗布部２６のスプリング部材２５を合成樹脂製のスプリング部材から構成した点で、上記実施形態と異なるものである。
ステンレス鋼線等の耐腐食材から構成したスプリング部材では、通常断面が円（丸）形状であり、隙間の形状はその線径とピッチで決まってしまう。マスカラ等のように睫毛に塗布する場合、その目的に応じ隙間形状を変えたい場合でも、制約があった。スプリング部材２５を、例えば、ＰＯＭ、ＰＢＴ、ＰＰ、ＰＥ、ＡＢＳなどの樹脂製のスプリング部材から構成することにより、断面形状を任意の形状に設計することができるものとなる。例えば、図６（ａ）及び（ｂ）に示すように、睫毛が入る入り口側をテーパー状の導入部を設け、スプリング部材の内径側はほぼ平行に設計することにより、睫毛が入りやすく、かつ、必要量となる塗布液が隙間に入るように設定することにより、睫毛に玉状の塗布液を付着せしめることなく、更に適量となる塗布液を睫毛に安定して塗布せしめることができるものとなる。
図６（ａ）のタイプでは、樹脂スプリング部材２５ａの先端部がＲのため、接触感がやさしく、スキマ深さを任意に設定することができるので塗布量を更に好適に調整することができる。
また、図６（ｂ）及び（ｃ）のタイプでは、樹脂スプリング部材２５ｂの先端部の幅寸法ｔを小さくすることにより、睫毛等がよりスキマに入りやすく設定することができ、更に、入り口部のテーパー状の導入寸法αをスキマｓよりも大きく設定することにより、スプリング部材２５ｂ先端により大量の内溶液を保持でき、より多くの塗布が容易となる利点を有するものとなる。
【００２１】
本発明の塗布容器は、上述の如く構成されるものであるが、上記各実施形態に限定されるものではなく、本発明の技術思想の範囲内で種々変更することができるものである。
上記実施形態において、塗布容器は特にマスカラ用に好ましく適用することができるが、スプリング部材を含む塗布容器のサイズを大きくし、塗布液として液状染毛剤を用いれば、毛髪用（毛染め用）の塗布容器としても好適に実施することができるものである。
また、上記実施形態において、キャップ２０を容器本体に嵌合により取り付けたが、螺合により取り付けてもよいものであり、更に、適当な嵌着による取り付け方法などを採用しても良いものである。
【図面の簡単な説明】
【００２２】
【図１】本発明の実施形態の一例であって、キャップを閉じた状態を示す塗布容器の縦断面図である。
【図２】図１の塗布容器において、キャップを取り外した状態を示す縦断面図である。
【図３】（ａ）及び（ｂ）は、しごき体の一例を示す部分縦断面図、左側面図、（ｃ）は、スプリング部材からなる塗布部の一例を示す部分拡大側面図である。
【図４】（ａ）及び（ｂ）は、しごき体の他例を示す部分縦断面図である。
【図５】本発明の塗布容器において、他の容器本体の一例を示す縦断面図である。
【図６】（ａ）及び（ｂ）は、スプリング部材からなる塗布部の他例を示す各部分拡大側面図であり、（ｃ）は、（ｂ）の要部拡大側面図である。
【図７】従来の塗布容器の塗布部の一例を示す側面図である。
【図８】（ａ）及び（ｂ）は、従来の塗布容器の塗布部の他例を示す側面図、部分拡大断面図である。
【図９】（ａ）及び（ｂ）は、従来の塗布容器の塗布部の他例を示す側面図、塗布容器の使用状態を示す部分縦断面図である。
【符号の説明】
【００２３】
Ａ  塗布容器
１０  容器本体
２０  キャップ
２５  スプリング部材
２６  塗布部
３０  しごき体
３３  しごき部
３４  拡径部
【図１】
2006311949.tif 000003
【図２】
2006311949.tif 000004
【図３】
2006311949.tif 000005
【図４】
2006311949.tif 000006
【図５】
2006311949.tif 000007
【図６】
2006311949.tif 000008
【図７】
2006311949.tif 000009
【図８】
2006311949.tif 000010
【図９】
2006311949.tif 000011